(57)【要約】【課題】包装ケースの上面板部や底面板部に切取線を設け、切取線を破らないと開封できず、開封した際にはそれがはっきりと分かるようにする。【解決手段】  プラスチック包装ケース５０において、上面板部８内、又は底面板部９内、又はこれらの両方の板部内に切取線２１を設け、該切取線２１と差込み片１０（１１）とに挟まれた上面板部８又は底面板部９の側縁部に、前記側面板部５に接着された固着片２２を備えるように構成することで、切取線２１を破らないと開封できず、開封した際には開封されたことがはっきりと分かるようにした。【選択図】図１２
2010247885.tif 000002
【特許請求の範囲】
【請求項１】
正面板部、左右側面板部、背面板部、上面板部、底面板部、前記上面板部に折曲線を介して連設された差込み片、及び、前記底面板部に折曲線を介して連設された差込み片を有する、包装ケースにおいて、
上面板部内、又は底面板部内、又はこれらの両方の板部内に切取線を設け、該切取線と差込み片とに挟まれた上面板部又は底面板部の側縁部に、前記側面板部に接着する固着片を設けてなる構成を備えた包装ケース。
【請求項２】
請求項１の切取線は、平面視した際に、山部と谷部とを中腹部を介して交互に繰り返し、且つ厚さ方向に貫通してなる貫通線を備えると共に、全ての各中腹部内に、或いは一定間隔をおいた一部の中腹部内に、厚さ方向に貫通しない非貫通部を設けてなる構成を備えた切取線であることを特徴とする、請求項１記載の包装ケース。
【発明の詳細な説明】
【技術分野】
【０００１】
本発明は、プラスチックシートや紙、段ボールなどからなる包装ケースであって、上面板部内又は底面板部内に切取線を備えた包装ケースに関する。
【背景技術】
【０００２】
化粧品や玩具等を包装する包装ケースは、商品を保護しつつ見栄えよく展示するため、透明度の高いプラスチックシートから形成されている。例えばポリエチレンテレフタレート（ＰＥＴ）、ポリプロピレン（ＰＰ）、特にアモルファスポリエチレンテレフタレート（Ａ−ＰＥＴ）などによって成形されたシートを所望形状に打ち抜き、折り曲げ箇所に罫線を入れてケース組立用プラスチックシートを形成した後、これを自動製函機等によって組み立てて形成されたものが知られている（特許文献１参照）。
【０００３】
より具体的には、例えば特許文献２において、ケースの一側面となる板部端縁から開口面を塞ぐ開閉板部を連設し、その先端に折曲線を介して差込み片を延設し、上記板部と交差方向の面を有する他側面の板部端縁から折曲線を介して折込み片を連設し、閉蓋状態で差込み片を折込み片の一側辺に沿って差込むようにしたケース構成を有するプラスチックシートであって、差込み片と開閉板部との境界には両側から切込みを形成すると共に、折込み片の上記一側辺の付け根部に、上記切込み部分が係合可能な係止部を突設し、係止部の先端に形成された段違い部に折込み片の付け根方向への凹部を形成して包装用プラスチックシートを構成したことを特徴とするものが開示されている。
【０００４】
近年、商品の流通過程で異物が混入される事件をきっかけとして、包装された商品であっても、その安全性を消費者が確認できるようにする必要が生じている。そこで本発明者は、包装ケースに関し、包装ケースの上面板部や底面板部に切取線を設け、この切取線を破らないと包装を開封できないようにすると共に、開封した際には開封されたことがはっきりと分かるようにすることを着想した。
【０００５】
切取線を設けた包装ケースについて先行技術調査を行ったところ、例えば特許文献３において、段ボールケースに関してではあるが、段ボールに区画形成されたフラップに、ジッパー、ミシン目、テープ等の切断開封部と、再封緘用差し込み舌片と、該差し込み舌片を差し込むための差し込み口とを設けたことを特徴とする、カートリッジ用包装箱が開示されていた。
【０００６】
また、紙製のケースに関してではあるが、特許文献４においては、缶等の物品を複数保持するためのカートンであって、上記カートンは、筒状構造を形成するための底壁パネル、側壁パネルおよび頂壁パネルを含む複数のパネルを備え、上記頂壁パネルは、上記カートンを開封する際に破断するジッパーによって両側を区切られた切り取りパネルを備え、上記ジッパーは、カートンの一方の表面からカートンの厚さ方向に打刻された半切れ線およびカートンの他方の表面からカートンの厚さ方向に打刻された半切れ線からなり、上記半切れ線は互いに離間して平行な方向へ向けて延在し、上記半切れ線のうち少なくとも一方は、連続した波形の半切れ線であることを特徴とするカートンが開示されていた。
【先行技術文献】
【特許文献】
【０００７】
【特許文献１】特開２００１−１３９０１９号公報
【特許文献２】特開２００１−１７１６４５号公報
【特許文献３】特開平５−１２４６３８号公報の請求項１
【特許文献４】特開２００５−２５５２１０号公報の請求項１
【発明の概要】
【発明が解決しようとする課題】
【０００８】
本発明の課題は、包装ケースの上面板部や底面板部に切取線を設け、この切取線を破らないと包装を開封できないようにすると共に、開封した際には開封されたことがはっきりと分かるようにせんとするものである。
【課題を解決するための手段】
【０００９】
かかる課題に鑑みて、本発明は、正面板部、左右側面板部、背面板部、上面板部、底面板部、前記上面板部に折曲線を介して連設された差込み片、及び、前記底面板部に折曲線を介して連設された差込み片を有する包装ケースにおいて、上面板部内、又は底面板部内、又はこれらの両方の板部内に切取線を設け、該切取線と差込み片とに挟まれた上面板部又は底面板部の側縁部に、前記側面板部に接着する固着片を設けてなる構成を備えた包装ケースを提案する。
【００１０】
このような構成を備えた包装ケースであれば、少なくとも切取線及び固着片を設けた上面板部又は底面板部に関しては、固着片によって側面板部に接着されているから、切取線を破らないと包装を開封することができない。
その一方、切取線に沿って上面板部又は底面板部を切断することで開封することができ、この際、少なくとも固着片とこれに連設された上面板部又は底面板部の一部は側面板部に固着された状態で残り、上面板部又は底面板部の他部が開放状態になるから、開封されたことを誰もがはっきりと確認することができる。
また、切取線に沿って上面板部又は底面板部を切断して開封した際、切断された両側の部位はケース本体から離脱することがないから、開封の際にゴミが出ない点も本発明の優れた効果である。
【図面の簡単な説明】
【００１１】
【図１】本発明の一例としてのプラスチック包装ケースを組み立てるためのシートの展開状態の一例を示した平面図である。
【図２】切取線の一例を設ける部分を拡大して示した拡大平面図である。
【図３】切取線の他例を設ける部分を拡大して示した拡大平面図である。
【図４】切取線の他例を設ける部分を拡大して示した拡大平面図である。
【図５】切取線の一例を拡大して示した平面図である。
【図６】図５に示した切取線をさらに拡大して示した平面図である。
【図７】切取線の形状例を示した平面図である。
【図８】切取線において、非貫通部を設ける位置を説明するために、（Ａ）は、切取線の一例を示した平面図であり、（Ｂ）は、それの切断後の状態を示した平面図である。
【図９】切取線の非貫通部の断面形状を説明するための断面図であり、（Ａ）（Ｂ）はそれぞれ異なる例を示したものである。
【図１０】切取線の端部に設ける非波状切取線を拡大して示した平面図である。
【図１１】図１に示したシートを組み立てたプラスチック包装ケースの上部斜視図である。
【図１２】図１１の包装ケースの開封状態を示した上部斜視図である。
【図１３】図１に示したシートを組み立てたプラスチック包装ケースの開封状態を示した底面側斜視図である。
【発明を実施するための形態】
【００１２】
以下、本発明の一例としての実施の形態を図面によって説明する。但し、本発明が下記実施形態に限定されるものではない。
なお、本実施形態では、主にプラスチックシートからなる包装ケースについて説明する。プラスチックシートからなる包装ケースは、強度面や加工性の面から好ましく、また不正開封防止の観点から中身が見える透明または半透明のプラスチックシートがより好ましいが、本発明の包装ケースがプラスチックシートからなる包装ケースに限定されるものではなく、プラスチックシートと同様に紙や段ボール等から形成することができる。
【００１３】
図１に示すプラスチックシート１は、本発明の実施形態に係るプラスチック包装ケース（以下「本包装ケース」と称する）５０を組み立てるためのシートの一例である。
【００１４】
（プラスチックシート１）
プラスチックシート１は、図１に示すように、正面板部２の右側に順次、側面板部３、背面板部４及び側面板部５をそれぞれ折曲線（罫線など）６を介して連設すると共に、側面板部５の側端には折曲線６を介して糊代片７を連設し、正面板部２の上端縁及び下端縁にはそれぞれ折曲線６を介して上面板部８又は底面板部９を連設し、上面板部８及び底面板部９の先端側にそれぞれ折曲線６を介して差込み片１０又は１１を連設し、側面板部３及び側面板部４の上下端縁、並びに背面板部４の上端縁には、それぞれ折曲線６を介して折込み片１２、１３、１４、１５及び１６を連設してなる構成を備えている。
【００１５】
また、上面板部８内及び底面板部９内には切取線２１（２１Ａ、２１Ｂ）を設けると共に、上面板部８に設けた切取線２１Ａと差込み片１０とに挟まれた上面板部８の側縁部に折曲線６を介して固着片２２を設ける一方、底面板部９に設けた切取線２１Ｂと差込み片１１とに挟まれた底面板部９の側縁部に折曲線６を介して固着片２３を設けてある。
【００１６】
また、上面板部８又は底面板部９と、差込み片１０又は１１との境界には、左右両側縁から適宜長さの切込み１７を形成してある。
この切込み１７を設けることにより、差込み片１０又は１１を容器本体部５１（図１１参照）内に差し入れた際に、差込み片１０又は１１の端縁部（切込み１７の部分）が上面板部８又は底面板部９に係合して上面板部８又は底面板部９の簡易ロック機構となる。よって、切込み１７を設けるのが好ましい。
切込み１７を設けると、不正に開封しようとした場合にケースが破損し易くなるため、特に固着片を設けない上面板部８又は底面板部９には、切込み１７を設けるのが好ましい。
【００１７】
上述の例では、切取線及び固着片を、上面板部８及び底面板部９の両方に設けているが、上面板部８及び底面板部９のいずれか一つに設けるようにしてもよい。すなわち、一方のみに、例えば上面板部８側のみに、切取線と固着片を設ける場合、反対側は接着剤等によって開封できないように封止しても、前述した本発明の効果を享受することができる。
なお、切取線及び固着片を、上面板部８及び底面板部９のいずれか一方に設ける場合には、上面板部８側に設けるのが好ましい。
また、切取線を、上面板部８及び底面板部９のいずれか一方に設け、固着片を両方に設けることもできる。
【００１８】
プラスチックシートの材質は、特に限定するものではない。例えばアモルファスポリエチレンテレフタレート（Ａ―ＰＥＴ）、ポリプロピレン、ポリエチレン、ポリスチレン、ポリカーボネートおよびポリ乳酸のいずれか、或いはこれらのうちの２種類以上の組合わせからなるポリマーブレンドなど、透明性が良好で且つ剛性も高い合成樹脂を好ましく例示することができる。
【００１９】
（切取線２１）
切取線２１（２１Ａ、２１Ｂ）を上面板部８又は底面板部９内にどのように形成するかについては、上面板部８又は底面板部９を２つの領域に分断できればどのように形成してもよい。もっと言えば、固着片２２又は２３が連設された上面板部８又は底面板部９の部分を含む領域（８Ａ又は９Ａ）と、上面板部８又は底面板部９の残りの領域（８Ｂ又は９Ｂ）とを分断できればどのように形成してもよい。
【００２０】
例えば図２に示す切取線２１Ａのように、上面板部８又は底面板部９の左右両側縁部に亘って横断するように形成してもよいし、また、図３に示す切取線２１Ｂのように、上面板部８又は底面板部９の左右一側縁部の中間部から、上面板部８又は底面板部９の左右同一側の先端側端部の切込み１７にかけて当該左右一側縁部を囲むように、より具体的には図３に示すように耳の輪郭の如き形状に形成してもよいし、また、図４に示す切取線２１Ｃのように、上面板部８又は底面板部９の左右一側縁部の中間部から、上面板部８又は底面板部９の左右反対側の先端側端部の切込み１７にかけて斜めに形成してもよい。
この際、例えば図４に示すように、固着片２２（２３）とは反対側の切込み１７と切取線２１が繋がっていると、不正に開封しようとした場合に、ケースの破損につながりやすいため好ましい。
いずれの形状の切取線２１（例えば２１Ａ〜２１Ｃ）を、上面板部８及び底面板部９のいずれに設けるようにしてもよい。
但し、切取線２１の形状をここに例示した形状に限定するものではない。
【００２１】
切取線２１は、山部２１１ａと谷部２１１ｂとを繰り返す波状切取線２１１として形成するのが好ましいが、波状切取線２１１に限定するものではない。
図２〜図３に示した例では、中間部を波状切取線２１１として形成し、一側端部又は両側端部を非波状切取線２１２として形成してある。
【００２２】
波状切取線２１１は、図５及び図６に示すように、シートを平面視した際に、山部２１１ａと谷部２１１ｂとを中腹部２１１ｃを介して交互に繰り返して連続し、且つシート厚さ方向に貫通してなる貫通線２１１Ａを備えると共に、全ての各中腹部２１１ｃ内に、或いは一定間隔をおいた一部の中腹部２１１ｃ内に、シート厚さ方向に貫通しない非貫通部２１１Ｂを設けてなる構成とするのが好ましい。
【００２３】
この波状切取線２１１において、山部２１１ａは、切取線２１で切り離した際に切り離される側の凹部を示し、谷部２１１ｂは、切り残される側の凹部を示し、中腹部２１１ｃは、山部２１１ａと谷部２１１ｂの頂部間を示すものとする。
【００２４】
波状切取線２１１の平面視形状は、図７（Ａ）に示すように、丸く湾曲した山部２１１ａと谷部２１１ｂとが交互に繰り返してなる波状を呈する形状であってもよいし、又、図７（Ｂ）に示すように、三角形状の山部２１１ａと谷部２１１ｂとが交互に繰り返してなる形状であってもよいし、又、図７（Ｃ）に示すように、台形状の山部２１１ａと谷部２１１ｂとが交互に繰り返してなる形状であってもよいし、又、図７（Ｄ）に示すように、矩形状の山部２１１ａと谷部２１１ｂとが交互に繰り返してなる形状であってもよい。
プラスチックシートにおいては、開封したい時に容易に開封することができ、切り離した際にバリが生じ難いという観点から、図７（Ａ）に示すように、丸く湾曲した山部２１１ａと谷部２１１ｂとが交互に繰り返してなる波状を呈する形状が好ましい。例えば、円弧状の山部２１１ａと谷部２１１ｂとが交互に繰り返してなる波状に形成するのが好ましい。このように波状に形成することで、開封した切り口で手を切るなどの危険性を減少させることができる。
【００２５】
隣接する山部２１１ａ、２１１ａ間、若しくは隣接する谷部２１１ｂ、２１１ｂの距離（ピッチ）Ｈは、０．５ｍｍ〜２０ｍｍであるのが好ましい。０．５ｍｍ以上であれば加工が困難であることもなく、２０ｍｍ以下であれば、山部２１１ａ、２１１ａ間或いは谷部２１１ｂ、２１１ｂ間に指が入り難いため、指がバリに触れるのを効果的に防止することができる。
よって、かかる観点から、距離Ｈは０．５ｍｍ〜２０ｍｍであるのがより好ましく、特に１ｍｍ〜１０ｍｍであるのがさらに好ましい。
【００２６】
山部２１１ａ、谷部２１１ｂの振幅幅ｈは、０．５ｍｍ〜２０ｍｍであるのが好ましい。０．５ｍｍ以上であれば、指がバリに触れるのを効果的に防止することができ、２０ｍｍ以下であれば加工が困難であることもない。よって、かかる観点から、振幅幅ｈは０．５ｍｍ〜１５ｍｍであるのがより好ましく、特に１ｍｍ〜１０ｍｍであるのがさらに好ましい。
また、隣接する山部２１１ａ、２１１ａ間、若しくは隣接する谷部２１１ｂ、２１１ｂの距離（ピッチ）Ｈと山部２１１ａ、谷部２１１ｂの振幅幅ｈの比（ｈ／Ｈ）が１以上であることが好ましい。
【００２７】
非貫通部２１１Ｂは、全ての各中腹部２１１ｃ内に設けてもよいし、一定間隔をおいた一部の中腹部２１１ｃ内、例えば一つ飛ばし毎の中腹部２１１ｃ内に設けてもよい。
また、各中腹部２１１ｃ内の一カ所に設けてもよいし、二カ所以上に設けてもよいが、開封し易さを考慮すると、各中腹部２１１ｃ内の一カ所或いは二カ所に設けるのが好ましい。
非貫通部２１１Ｂの長さｌは、０．１ｍｍ〜１ｍｍであるのが好ましい。１ｍｍ以内であれば切り取り難いことはなく、０．１ｍｍ以上であれば、通常の使用時に切れてしまうこともない。よって、かかる観点から、非貫通部２１１Ｂの長さｌは０．１ｍｍ〜１ｍｍであるのがより好ましく、特に０．２ｍｍ〜０．５ｍｍであるのがさらに好ましい。
【００２８】
なお、非貫通部２１１Ｂは、図８（Ａ）に示すように、谷部２１１ｂから見て振幅幅ｈの３／４の位置或いはそれより手前側の位置に設けるのが好ましい。切取線２１１に沿ってプラスチックシートを切断した際、図８（Ｂ）に示すように、非貫通部２１１Ｂが鋭利な突起部（“バリ”）２１１ｃとなるから、前記のような位置に非貫通部２１１Ｂを設けることにより、バリ２１１Ｃが手（指を含めて）に触れるのをより一層防ぐことができる。
かかる観点から、非貫通部２１１Ｂは、谷部２１１ｂから見て振幅幅ｈの２／３の位置或いはそれより手前側の位置に設けるのがさらに好ましく、中でも谷部２１１ｂから見て振幅幅ｈの１／２の位置或いはそれより手前側の位置に設けるのがさらに好ましい。
【００２９】
非貫通部２１１Ｂは、シート面の厚さと同じにしてもよいが、図９（Ａ）（Ｂ）に示すように、シート面より厚さの薄い薄肉部として形成することもできる。
【００３０】
上記のような波状切取線２１１は、例えば所定の平面視形状を備えた切断刃の適宜箇所に、非切断部を設けてなる切取線形成刃を使用して、プラスチックシートに設けることができる。但し、この方法に限定されるものではない。
【００３１】
他方、非波状切取線２１２は、例えば図１０に示すように、シート厚さ方向に貫通してなる貫通線２１２Ｂ内の適宜箇所に、シート厚さ方向に貫通しない非貫通部２１２Ｂを設けてなる構成とするのが好ましい。
この際、非波状切取線２１２を切取線２１の端部に設ける場合には、より切断し易いように、貫通線２１２Ｂ内に１か所又は２か所の非貫通部２１２Ｂを設けるのが好ましい。
【００３２】
（切込み２４）
切取線２１の少なくとも一端には切込み２４を設けて、この切込み２４を設けた部分に指を掛けたりするなどして、切断のきっかけとし易いようにするのが好ましい。
この切込み２４の形状及び深さは任意であり、例えば図２に示すように、Ｖ字状に切除して設けてもよいし、また、図３に示すように、猛禽類の爪の如き形状に切除して掴み易いように設けてもよい。
但し、必ずしも切込み２４を設けなくてもよい。
また、切込み２４の固着片２２（２３）側部位を掴み易いように、図３に示すように、本来の外形部分、すなわち上面板部８又は底面板部９の側縁部からはみ出すように、言い換えれば上面板部８又は底面板部９の側縁部から外側に膨らむように（図３では、切込み２４の固着片２２（２３）側が丸く円弧状にはみ出している）、掴み部位２５を形成するのが好ましい。
【００３３】
（固着片２２、２３）
固着片２２，２３は、側面板部３又は側面板部５に接着するための部位であり、切取線２１Ａ又は２１Ｂと差込み片１０又は１１とに挟まれた上面板部８又は底面板部９の側縁部に折曲線６を介して連設してある。
すなわち、固着片２２又は２３を連設された上面板部８又は底面板部９の部分を含む領域（８Ａ又は９Ａ）と、上面板部８又は底面板部９の残りの領域（８Ｂ又は９Ｂ）とが、切取線２１によって分断されるように、固着片２２又は２３を上面板部８又は底面板部９に連設すればよい。
【００３４】
固着片２２，２３は、側面板部３又は側面板部５に接着できれば、その大きさや形状は任意である。
【００３５】
（本包装ケース５０）
本包装ケース５０は、上記の如き構成を備えたプラスチックシート１を、次のようにして組み立てることで形成することができる。
【００３６】
先ず、正面板部２、側面板部３、背面板部４及び側面板部５をそれぞれ折曲線６を介して折り曲げて、糊代片７を正面板部２の裏面に固着させて容器本体部５１を組み立てる。次に、折込み片１５及び１６を底面内に折り込み、底面板部９を底面内に折り込み、さらに差込み片１１を容器本体部５１内に差し入れて係合させた後、固着片２３を側面板部５に接着剤等を用いて固着させて底面５２を形成する。
次に、容器本体部５１内に商品等を収納した後、折込み片１２、１３及び１４を上面内に折り込み、上面板部８を上面内に折り込み、さらに差込み片１０を容器本体部５１内に差し入れて係合させた後、固着片２２を側面板部５に接着剤等を用いて固着させて上面５３を形成するようにして、包装ケース５０を組み立てることができる（図１１参照）。
【００３７】
包装ケース５０は、図１１に示すように、上面板部８及び底面板部９が、固着片２２、２３を介して側面板部５に固着（固定）されているから、切取線２１（２１Ａ、２１Ｂ）に沿って上面板部８及び底面板部９を切断する以外、開封する方法はない。
その一方、図１２及び図１３に示すように、切取線２１（２１Ａ、２１Ｂ）に沿って上面板部８及び底面板部９を切断することにより、容易に開封することができる。
そして、一度切取線２１（２１Ａ、２１Ｂ）を切り離したら元通りに接続することは不可能であるし、また、開封すると、上面においては、図１２に示すように、切取線２１Ａによって分断された固着片２２、上面板部８の一部８Ａ及び差込み片１０が側面板部５に固着（固定）された状態で残され、上面板部８の他部８Ｂが開いた状態となるし、底面においては、図１３に示すように、切取線２１Ｂによって分断された固着片２３及び底面板部９の一部９Ａが側面板部５に固着（固定）された状態で残され、底面板部９の他部９Ｂ及び差込み片１１が開いた状態となるから、開封されたことを誰もが明確に確認することができる。
【００３８】
［用語の説明］
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含するものとする。
また、本発明において、「Ｘ以上」（Ｘは任意の数字）と表現した場合、特にことわらない限り、「好ましくはＸより大きい」の意を包含し、「Ｙ以下」（Ｙは任意の数字）と表現した場合、特にことわらない限り、「好ましくはＹより小さい」の意を包含するものとする。
【符号の説明】
【００３９】
１  プラスチックシート
２  正面板部
３  側面板部
４  背面板部
５  側面板部
６  折曲線
７  糊代片
８  上面板部
９  底面板部
１０，１１  差込み片
１２、１３、１４、１５及び１６  折込み片
２１（２１Ａ、２１Ｂ、２１Ｃ）  切取線
２１１  波状切取線
２１２  非波状切取線
２１１ａ  山部
２１１ｂ  谷部
２１１ｃ  中腹部
２１１Ａ  貫通線
２１１Ｂ  非貫通部
２１１Ｃ  バリ
２１２Ａ  貫通線
２１２Ｂ  非貫通部
２２，２３  固着片
２４  切込み
２５  掴み部位
５０  本包装ケース
５１  容器本体部
５２  底面
５３  上面
【図１】
2010247885.tif 000003
【図２】
2010247885.tif 000004
【図３】
2010247885.tif 000005
【図４】
2010247885.tif 000006
【図５】
2010247885.tif 000007
【図６】
2010247885.tif 000008
【図７】
2010247885.tif 000009
【図８】
2010247885.tif 000010
【図９】
2010247885.tif 000011
【図１０】
2010247885.tif 000012
【図１１】
2010247885.tif 000013
【図１２】
2010247885.tif 000014
【図１３】
2010247885.tif 000015